(57)【要約】【課題】例えば、逆光等により被写体が黒飛び、または背景が白飛びすることを防止することができる撮像装置を提供する。【解決手段】撮影対象を撮像する撮像素子、前記撮像素子の各画素の撮影対象までの距離情報の取得する手段と、前記撮像の前に距離情報を取得する距離情報取得部と、を備え、前記撮像素子は、外光を受光して光電変換する受光面を有し、その光電変換による電荷の蓄積時間を画素単位で制御をすることが可能であり、前記距離情報に基づき前記撮像素子の電荷の蓄積時間を画素単位で制御をする蓄積時間制御部を更に有する。【選択図】図１
2010130314.tif 000002
【特許請求の範囲】
【請求項１】
撮影対象を撮像する撮像素子、
前記撮像素子の各画素の撮影対象までの距離情報の取得する手段と、
前記撮像の前に距離情報を取得する距離情報取得部と、
を備え、
前記撮像素子は、外光を受光して光電変換する受光面を有し、その光電変換による電荷の蓄積時間を画素単位で制御をすることが可能であり、
前記距離情報に基づき前記撮像素子の電荷の蓄積時間を画素単位で制御をする蓄積時間制御部を更に有することを特徴とする撮像装置。
【請求項２】
前記蓄積時間制御部は、
ユーザーが設定した境界距離又は所定の境界距離までの領域を近景領域とし、前記境界距離よりも遠い領域の少なくとも一部を遠景領域として、画素単位での電荷の蓄積時間の制御をすることを特徴とする請求項１に記載の撮像装置。
【請求項３】
前記撮像素子が得た画像内に人物が存在するか否かを認識する人物認識部を更に有し、
人物が存在した場合、人物までの距離を前記境界距離とすることを特徴とする請求項２に記載の撮像装置。
【請求項４】
前記蓄積時間制御部は、近景領域の電荷蓄積時間を遠景領域の電荷蓄積時間よりも長くすることを特徴とする請求項２に記載の撮像装置。
【請求項５】
前記蓄積時間制御部は、遠景領域の電荷蓄積時間を近景領域の電荷蓄積時間よりも長くすることを特徴とする請求項２に記載の撮像装置。
【発明の詳細な説明】
【技術分野】
【０００１】
本発明は撮影対象の撮像及び各画素の撮影対象までの距離情報の取得ができる撮像装置であって、例えば、逆光等により被写体が黒飛び、または背景が白飛びする可能性がある場合における、画像の露出補正を行う撮像装置に関するものである。
【背景技術】
【０００２】
デジタルカメラにおいて、逆光時の撮影の場合、一般的な露出制御を行うと、被写体が黒くつぶれる（黒飛び）現象が多々ある。そのため、露出時間を長くする逆光補正処理を行い、被写体に対して黒くつぶれない補正を行ってきた。しかし、この場合、逆光補正前に最適な露出であった景色が白く飛んでしまう（白飛び）現象が起こる。そのため、従来の撮影では被写体、景色が共につぶれないような露出の妥協点を見つけるか、被写体にストロボ光を当てるなどして撮影を行ってきた。
【０００３】
上記の課題に対して、幾つかの解決方法が提案されてきた中、画素毎の電荷量を蓄積する時間を変更できる撮像素子を用いる撮像装置が示されている。
【０００４】
例えば特許文献１では被写体の露出量やブレを測定する評価部を有し、評価結果にしたがい画素毎に電荷の蓄積時間を変更する方法を採用している。
【特許文献１】特開２００１−３５８９８９号公報
【発明の開示】
【発明が解決しようとする課題】
【０００５】
しかし、被写体の露出量やブレの評価、その他、被写体抽出などの計算は非常に膨大でリアルタイム性に劣る。そのため上記の方法では、実際には被写体がしばらく静止することが要求されるか、ＰＣ等別の計算機器による高速計算処理が必要であった。そのため、従来のデジタルカメラのような簡易な撮影の際に用いることは困難である。
【０００６】
本発明は、そのような問題点を鑑みてなされたものであり、簡易に、逆光等により被写体が黒飛び、または背景が白飛びすることを防止することができる撮像装置を提供することを目的とする。
【課題を解決するための手段】
【０００７】
本発明による撮像装置は、撮影対象を撮像する撮像素子、前記撮像素子の各画素の撮影対象までの距離情報を取得する手段と、前記撮影の前に距離情報を取得する距離情報取得部と、を備え、前記撮像素子は、外光を受光して光電変換する受光面を有し、その光電変換による電荷の蓄積時間を画素単位で制御をすることが可能であり、前記距離情報に基づき前記撮像素子の電荷の蓄積時間を画素単位で制御をする蓄積時間制御部を更に有することを特徴とする。
【０００８】
また、本発明による撮像装置は、蓄積時間制御部は、ユーザーが設定した境界距離又は所定の境界距離までの領域を近景領域とし、前記境界距離よりも遠い領域の少なくとも一部を遠景領域として、画素単位での電荷の蓄積時間の制御をすることを特徴とする。
【０００９】
更に、本発明は、前記撮像素子が得た画像内に人物が存在するか否かを認識する人物認識部を更に有し、人物が存在した場合、人物までの距離を前記境界距離とすることを特徴とする。
【００１０】
更に、本発明は、蓄積時間制御部は、近景領域の電荷蓄積時間を遠景領域の電荷蓄積時間よりも長くすることを特徴とする。
【００１１】
更に、本発明は、蓄積時間制御部は、遠景領域の電荷蓄積時間を近景領域の電荷蓄積時間よりも長くすることを特徴とする。
【発明の効果】
【００１２】
本発明によれば、逆光等により被写体が黒飛び、または背景が白飛びすることを防止することができる。また、フラッシュが照射される人物とフラッシュが照射されない夜景を含む画像において、夜景を明るく撮影することができる。
【発明を実施するための最良の形態】
【００１３】
以下、図面を参照して本発明を実施するための最良の形態について詳細に説明する。
（第１の実施形態）
図１は、本発明の実施形態である撮像装置の内部構成図である。
【００１４】
撮像光学系１００は、光学レンズ、絞り機構などで構成される。被写体や景色などの撮影対象は外光として撮像光学系１００を通して、撮影用撮像素子１０１と測距用撮像部１０３に結像される。
【００１５】
撮影用撮像素子１０１は、ＣＣＤもしくはＣＭＯＳによって構成される。撮像光学系１００によって受光面に結像された光像を、Ｒ（赤）、Ｇ（緑）、Ｂ（青）の色成分の画像信号に光電変換して出力するものである。通常の撮像素子は全ての画素において蓄積時間が一定であるが、撮影用撮像素子１０１は画素毎に蓄積時間を変えることが出来る。これは画素毎に画像信号電荷の蓄積開始／終了の時間を可変にすることによって達成している。撮影用撮像素子１０１の詳細は後に図３を参照して説明する。また以後の記述では画像信号電荷の蓄積開始から終了までの時間を蓄積時間と呼ぶ。
【００１６】
蓄積時間制御部１０２は、撮影用撮像素子１０１の蓄積時間を制御するもので、２つの制御方法を有している。１つは撮像装置に備わるＩＳＯ感度設定や露出設定やシャッタースピードによる値に基づいて撮影用撮像素子１０１の蓄積時間を全画素共通に制御する方法である。これは従来ある撮影で行う制御である。もう１つは距離情報取得部１０４の距離情報に基づいて画素毎に個別の蓄積時間を設定し、撮影用撮像素子１０１の蓄積時間を制御する方法である。本実施形態は後者の制御方法を用いる発明である。蓄積時間制御部１０２の内部構成は後に図４を参照して説明する。
【００１７】
測距用撮像部１０３は、複数のＣＣＤもしくはＣＭＯＳの他に受光レンズやバリア等によって構成される。画素単位で測距できれば使用する方法に制限はないが、本実施形態では測距方法としてステレオ法を採用するため、撮影用撮像素子１０１と同等の画素数を持つ少なくとも２枚の撮像素子およびその素子に結像させる光学系が必須となる。ただし測距用の画像（以後、測距画像とする）は白黒でよいため、用いる撮像素子はＲ（赤）、Ｇ（緑）、Ｂ（青）のカラーフィルターを必要としない。測距用撮像部１０３の構成は後に図２を参照して説明する。
【００１８】
距離情報取得部１０４は、測距用撮像部１０３によって撮影された２枚の輝度画像（白黒画像）からステレオ法を用いて画素単位で距離情報を取得する。同時に２枚の輝度画像（白黒画像）から測距画像を構成する。測距画像は撮影時に蓄積時間制御に用いるだけでなく、撮影後の補正にも利用できるため、後述する画像メモリ１０６や記録媒体１１１に記録される。
【００１９】
画像処理部１０５は、撮影用撮像素子１０１から出力される画像信号に対し、ホワイトバランス調整、γ補正、黒レベル補正等を行い、画像をデータ化するものである。ホワイトバランス調整とは、Ｒ（赤）、Ｇ（緑）、Ｂ（青）の色成分のレベル変換を行うものである。γ補正とは、画素のγ特性を補正するものである。黒レベル補正とは、黒レベルを基準の黒レベルに補正するものである。
【００２０】
画像メモリ１０６は、画像処理部１０５から出力される画像データを一時的に記憶する。例えば撮影待機状態において、撮影用撮像素子１０１により１／３０秒毎に撮影された画像信号は画像処理部１０５により画像データ化され、画像メモリ１０６に一時的に記憶される。そして制御部１０７を介して表示部１０８に送信されることで、ライブビュー表示が行われる。また記録媒体１１１に記録された画像を再生する場合も、制御部１０７を介して一時的に画像メモリ１０６に記憶された後、順番に表示部１０８に送信され、再生表示を行うことになる。また上記に述べたように、画像メモリ１０６は、測距画像を一時的に保管する。測距画像は、蓄積時間の制御にも用いられる。
【００２１】
制御部１０７は、主にＣＰＵで構成され、撮像装置の心臓部にあたるものである。その役割は多岐にわたり、例えば撮影用撮像素子１０１および測距用撮像部１０３に撮影指示をしする。また、撮影用撮像素子１０１および測距用撮像部１０３から出力された画像信号を予め記憶されたプログラムに従ってデータ化する。更に、ユーザーからの指示に従い画像再生・画像補正を行ったりする。また距離情報の取得や蓄積時間の制御も制御部１０７を介して行われる。
【００２２】
表示部１０８は、液晶ディスプレイや有機ＥＬ等の薄型表示装置で構成され、画像データをライブビュー表示したり、再生表示したり、またメニュー画面の表示を行ったりする。
【００２３】
ＩＳＯ感度設定ＩＦ(Interface)１０９は、ユーザーがＩＳＯ感度を設定するための外部インターフェースである。ＩＳＯ感度設定ＩＦ１０９を用いて、通常の撮影方法によるＩＳＯ感度設定を行うか、距離情報を用いた露出設定を行うかを選択することができる。詳細は後に図５を参照して説明する。
【００２４】
露出設定ＩＦ１１０は、ＩＳＯ感度設定ＩＦ１０９で距離情報を用いた露出設定を選択した場合、より手動で詳細設定するためのインターフェースである。そのため露出設定ＩＦ１１０は表示部１０８でメニュー表示されて設定するインターフェースとなっている。詳細は後に図６を参照して説明する。
【００２５】
記録媒体１１１は、メモリーカードやハードディスクで構成されており、制御部１０７を介して画像データを記録する。
【００２６】
図２は測距用撮像部１０３の構成と、測距の概要および測距画像を示した図である。
【００２７】
図２（ａ）は測距用撮像部１０３の構成を示している。測距用撮像部１０３は、バリア２００、２枚の受光レンズ２０１、左輝度センサ２０２、右輝度センサ２０３で構成されている。撮影光学系１００によって２つに分光された光像は、バリア２００、受光レンズ２０１を通して左輝度センサ２０２および右輝度センサ２０３に結像される。バリア２００は、２つの光像がセンサに結像する前に混在しないために受光レンズ２０１の前に設置されている。バリアの開口部の間隔は２つの受光レンズ２０１の性能や、左輝度センサ２０２と右輝度センサ２０３との位置関係に密接に関連し、具体的には２つの受光レンズ２０１の焦点距離、左輝度センサ２０２と右輝度センサ２０３の基線長等で決まる。２つの受光レンズ２０１と左輝度センサ２０２と右輝度センサ２０３はともに基線長Ｂを隔てて配置する。左輝度センサ２０２と右輝度センサ２０３のそれぞれの画素数は撮影用撮像素子１０１と同等のもので、Ｒ（赤）、Ｇ（緑）、Ｂ（青）のカラーフィルターは備わっていない。そのため左輝度センサ２０２と右輝度センサ２０３は輝度画像（白黒画像）を出力する。
【００２８】
図２（ｂ）はステレオ法を用いての測距の概要を示している。左右画像２０４とは左輝度センサ２０２および右輝度センサ２０３から出力された輝度画像（白黒画像）を重ね合わせたものである。左輝度センサ２０２と右輝度センサ２０３は基線長Ｂを隔てて配置されているので、左右画像２０４には２つの光像の相対的な位置差Ｘが生じる。受光レンズ２０１から被写体までの距離をＬ、受光レンズ２０１の焦点距離をｆ、基線長をＢとすると、三角測量の原理から、以下の式が成り立つ。
【００２９】
Ｌ  ＝  （Ｂ×ｆ）／Ｘ
こうして２つの光像の相対的な位置差Ｘを画素毎に検出して上記の式にて測距計算を行うことで、画素単位で距離情報を取得することが出来る。
【００３０】
本実施形態では上記の構成による測距方法を示したが、輝度センサを２枚に分けずに１枚の輝度センサにして２つの光像を結像することで、左右画像を得る測距方法でも構わない。また他のステレオ法として、２つの光学系と２枚の撮像素子による一般的な２眼カメラによる測距方法でもよい。さらに、アクティブな測距方法として、被写体に対して赤外線や超音波を照射して、その往復時間を求めることで測距するＴＯＦ（Ｔｉｍｅ  ｏｆ  Ｆｌｉｇｈｔ）方式でも構わない。
【００３１】
図２（ｃ）は撮影画像および測距画像を示している。左図が撮影用撮像素子１０１で撮影された撮影画像２０５、右図が測距用撮影部１０３で取得された測距画像２０６である。撮影画像２０５では人物２０７と木２０８が撮影されている。測距画像２０６では距離毎に撮影対象が色づけされており、人物２０７は撮像装置に近い（近景）ため濃い色、木２０８は撮像装置に遠い（遠景）ため薄い色になる。すなわち測距画像２０６は、各画素の被写体までの距離を表す。
【００３２】
図３は、撮影用撮像素子１０１の構成を示した図である。
【００３３】
画素３００は２次元マトリクス状に複数配置されている。画素３００は、Ｒ（赤）、Ｇ（緑）、Ｂ（青）の色成分の画素ドット（図省略）で構成されている。垂直蓄積時間回路３０２は垂直方向の複数の画素３００の電荷蓄積時間を画素毎に変えるための回路である。垂直走査回路３０１は垂直蓄積時間回路３０２の出力信号に基づいて、複数の画素３００を各行単位で選択するための垂直走査信号を出力する。
【００３４】
次にＣＤＳ回路３０３は画素３００から読み出された画像信号に対して所定の相関二重サンプリング処理を行って、固定パターンノイズを抑圧するものである。水平蓄積時間回路３０５は水平方向の複数の画素３００の電荷蓄積時間を画素毎に変えるための回路である。水平走査回路３０４は水平蓄積時間回路３０５の出力信号に基づいて、複数の画素３００を各列単位で選択するための水平走査信号を出力する。
【００３５】
ここで垂直走査回路３０１、ＣＤＳ回路３０３、水平走査回路３０４は従来と同じ機能を有するが、新たに付加された垂直蓄積時間回路３０２および水平蓄積時間回路３０５の働きによって画素毎の蓄積時間制御を可能にしている。蓄積時間制御は具体的には、次のことで行われる。すなわち、画素毎の蓄積時間信号に基づき、垂直蓄積時間回路３０２および水平蓄積時間回路３０５は蓄積時間の短い画素に対してはリセット電圧を減少させ、蓄積時間の長い画素に対してはリセット電圧を増大させる。画素毎の蓄積時間信号は、距離情報取得部１０４の距離情報に基づいて設定され、例えば撮影装置に近い距離の画素では蓄積時間を短くし、遠い距離では蓄積時間を長くする。その蓄積時間の情報は蓄積時間信号として蓄積時間制御部１０２を介して送信されてきたものである。
【００３６】
図４は蓄積時間制御部１０２の構成を示した図である。
【００３７】
領域指定部４００は測距画像２０６を近景領域、中間領域、遠景領域の３つに領域指定するものである。指定方法は自動処理と手動処理の２通りがある。自動処理では、予め領域指定部４００に用意されている境界距離Ａと境界距離Ｂが用いられる。ここで、境界距離Ｂは境界距離Ａよりも長い。撮像装置から境界距離Ａまでを近景領域、境界距離Ｂから無限遠を遠景領域、その中間を中間領域として、測距画像２０６を３つの領域に区分する。
【００３８】
手動処理では、露出設定ＩＦ１１０を用いて、ユーザーが境界距離Ａと境界距離Ｂを任意に設定するものである。この方法については後に図６を参照して説明する。
【００３９】
そして領域指定部４００は１つ１つの画素の距離情報を元にして、全ての画素についてどの領域に属するかを設定する。このようにして測距画像２０６を３つの領域に区分した領域画像が生成される。
【００４０】
蓄積時間指定部４０１は垂直蓄積時間回路３０２および水平蓄積時間回路３０５へ画素毎の蓄積時間の指示を行うものである。指定方法は自動処理と手動処理の２通りがある。自動処理では、領域指定部４００が持つ境界距離Ａ、境界距離Ｂで決めた近景領域、中間領域、遠景領域に対してそれぞれ所定の蓄積時間が予め用意されているので、それらを用いる。近景領域での蓄積時間は通常撮影に比べ長めに、遠景領域での蓄積時間は通常撮影に比べ短めに、中間領域での蓄積時間は通常撮影と同じ蓄積時間としている。
【００４１】
手動処理では、露出設定ＩＦ１１０を用いて、ユーザーが各領域に対して蓄積時間（露出補正）を任意に設定するものである。この方法については後に図６を参照して説明する。
【００４２】
本実施形態では３つの領域に区分したが、近景領域と遠景領域の２つによる区分でも構わない。その場合、領域指定部４００に用意されている距離は境界距離Ａのみとなり、撮像装置から境界距離Ａまでを近景領域、境界距離Ａから無限遠を遠景領域として、領域を指定する。領域を２つのみにした方が計算量を抑えられるため、制御部１０７および蓄積時間制御部１０２の計算能力の低い撮像装置の場合に適している。
【００４３】
図５はＩＳＯ感度設定ＩＦ１０９を示した図である。
【００４４】
ＩＳＯ感度設定ＩＦ１０９は通常の撮像装置に備えられているＩＳＯ感度設定ＩＦに「距離」モードを付加したものである。ユーザーが「距離」モードを選択した場合、測距画像２０６を用いて距離情報による蓄積時間の変更が行われる。ＩＳＯ感度設定ＩＦ１０９を「距離」モードに選択して、それ以外の領域指定や蓄積時間指定の操作をしない場合、領域指定および蓄積時間指定は自動処理によって行われる。手動を選択する場合、次図で説明する方法で設定する。
【００４５】
図６は露出設定ＩＦ１１０を示した図である。
【００４６】
図６（ａ）は表示部１０８に表示された最初のメニュー画面６０１である。ここでカーソル６０２をＤ（Ｄｅｐｔｈ）メニューに移動させ、選択すると、露出設定ＩＦ１１０に切り替わる。
【００４７】
図６（ｂ）に露出設定ＩＦ１１０を示す。露出設定ＩＦ１１０では距離指定および蓄積時間指定（露出指定）を行うことができる。ただし名称として、「蓄積時間指定」はユーザーにとってなじみが薄いため、露出設定ＩＦ１１０の表示上では「露出指定」として、露出設定後、内部処理で蓄積時間設定に変更している。本図では以後、露出指定として説明するが、蓄積時間指定と同義語である。
【００４８】
距離指定は露出設定ＩＦ１１０の上から二番目にあるアイコン、露出指定は三番目にあるアイコンを選択する。図６（ｂ）では距離指定アイコンにカーソル６０２を移動させ、選択して距離指定を行う。距離指定を選択すると、表示画面に近景距離バー６０３と遠景距離バー６０４が表れる。これらのバー６０３、６０４によって近景領域、遠景領域を０ｍから１２ｍの間で指定することが出来る。指定するには２つのポインター６０５を移動させる。本図では２ｍと８ｍにポインター６０５が配置されているので、近景は０ｍから２ｍ、遠景は８ｍから無限遠、その間を中間領域と指定していることになる。
【００４９】
図６（ｃ）では、露出設定ＩＦ１１０で露出指定アイコンにカーソル６０２を移動させ、選択して露出指定を行う。露出指定を選択すると、表示画面に近景露出バー６０６と遠景露出バー６０７が表れる。どちらとも−２から＋２まで指定する事が出来、指定するにはポインター６０５を移動させる。本図では近景露出バー６０６で＋２、遠景露出バー６０７で−１にポインター６０５が配置されて露出を指定している。指定された露出に基づいて、蓄積時間制御部１０２は蓄積時間を変更する。
【００５０】
図７は距離情報に基づいて蓄積時間の変更を行う制御部１０７のフローチャートである。
【００５１】
ステップＳ７００で、「距離」モードがオンとなる信号をＩＳＯ感度設定ＩＦ１０９から検出する。これはユーザーからみるとＩＳＯ感度設定ＩＦ１０９を操作し、「距離」モードを選択する場合である。
【００５２】
ステップＳ７０１で半押し状態であるか否かを検出し、半押しを検出した場合、ステップＳ７０２に移る。
【００５３】
ステップＳ７０２で測距用撮像部１０３に撮影命令信号を送信する。そこで測距用撮像部１０３の左輝度センサ２０２と右輝度センサ２０３は２枚の輝度画像（白黒画像）を撮影する。撮影後、２枚の輝度画像（白黒画像）を距離情報取得部１０４に送信するよう測距用撮像部１０３へ指示する。
【００５４】
ステップＳ７０３で距離情報取得部１０４に画素毎の距離情報を取得する命令信号を送信する。距離情報取得部１０４は所定のステレオ法による測距方法を用いて画素毎の距離情報を取得し、測距画像２０６（図２参照）を作成する。そして測距画像２０６は制御部１０７を介して画像メモリ１０６に一時的に保管される。この後、撮影用撮像素子１０１で撮影をして撮影画像２０５が記録媒体１１１に記録される場合、同時に測距画像２０６も記録される。半押ししたのみで、撮影用撮像素子１０１で撮影を行わなかった場合、画像メモリ１０６に一時的に保管された測距画像２０６は削除される。
【００５５】
ステップＳ７０４で距離領域指定および蓄積時間指定で手動設定がされているか否かの検出を行う。本撮影（本フロー）を行う前に予め露出設定ＩＦ１１０により手動設定が行われていなければ、蓄積時間制御部１０２の領域指定部４００および蓄積時間指定部４０１が有する値を用いるため、制御部１０７からは特に指示信号を出さずステップＳ７０６に移る。
【００５６】
本撮影（本フロー）を行う前に手動設定が既に行われていれば、ステップＳ７０５にて露出設定ＩＦ１１０で設定された距離指定と露出指定の値を取得し、蓄積時間制御部１０２に送信する。蓄積時間制御部１０２の領域指定部４００は受信した距離指定にしたがい、近景領域、遠景領域、中間領域の距離範囲を設定する。蓄積時間指定部４０１は受信した露出指定に基づいて蓄積時間を求め、近景領域、遠景領域の蓄積時間を設定する。中間領域の蓄積時間は求めた近景領域、遠景領域の蓄積時間から最適な値を決めて設定する。例えば中間領域の蓄積時間は近景領域と遠景領域の蓄積時間の和の半値をとる方法などが考えられる。
【００５７】
ステップＳ７０６で蓄積時間制御部１０２に領域画像を算出する命令信号を送信する。蓄積時間制御部１０２は画像メモリ１０６から測距画像２０６を取得し、測距画像２０６を近景領域、遠景領域、中間領域に区分して領域画像を作成する。
【００５８】
ステップＳ７０７で蓄積時間制御部１０２に領域情報および各領域の蓄積時間を撮影用撮像素子１０１に送信させる。撮影用撮像素子１０１の垂直蓄積時間回路３０２と水平蓄積時間回路３０５は蓄積時間を受信し、画素毎に蓄積時間を設定する。
【００５９】
ステップＳ７０８で本押し状態であるか否かを検出し、本押しを検出した場合、ステップＳ７０９に移る。
【００６０】
ステップＳ７０９で撮影用撮像素子１０１によって画素毎に蓄積時間を変えた撮影を行う。
【００６１】
以上のステップにより、画素毎に蓄積時間を変更した撮影画像２０５を撮ることが可能となる。
【００６２】
本実施形態によれば、面倒な操作をしなくとも、近景の撮影対象の露出時間と遠景の撮影対象の露出時間を個別に設定することができるので、逆光等による被写体の黒飛びや背景の白飛びを防ぐことが可能となる。また被写体の抽出等計算量が多いアルゴリズムを必要としないため、リアルタイム性に優れ、半押し、本押しの通常の撮影動作のまま本実施形態の撮影を行うことができる。また、画素毎に蓄積時間を変える撮像素子や、単眼による測距方法を採用するため、撮像装置が特殊な形状にならず、通常の撮像装置（レンズ交換型デジタルカメラ、小型デジタルカメラ）に応用しやすいものである。
（第２の実施形態）
第２の実施形態は、撮像装置の内部構成に人物認識部を有する（図省略）。人物認識部は撮影画像２０５と測距画像２０６に対して人物認識を行うことができる。ただし本実施形態で利用するのは測距画像２０６の人物認識のみである。人物認識の方法の一例として、画像を２値化処理し（測距画像２０６は白黒画像のため２値化処理は省かれる）、得られた画像と予め人物認識部に用意されている顔パターンとのマッチングにより人物認識を行う方法がある。人物認識方法はその他、ＡｄａＢｏｏｓｔ法などさまざまあり、本実施形態ではいずれの方法でも構わない。
【００６３】
図８は人物認識を行い、距離情報に基づいて蓄積時間の変更を行う場合の制御部１０７のフローチャートである。実施形態１と異なる点について説明する。
【００６４】
ステップＳ８０１からステップＳ８０３までは実施形態１と同様である。
【００６５】
ステップＳ８０４で人物認識部に測距画像２０６に対し人物認識する命令信号を送信する。人物認識部は画像メモリ１０６から測距画像２０６を取得し、人物認識を行う。すなわち、測距画像内に人物が存在するか否かを判断する。
【００６６】
ステップＳ８０５で人物がいるか否かの判定を行う。人物がいない場合、ステップＳ８０７で距離領域指定および蓄積時間指定において手動設定があるか否かの検出を行う。このステップは実施形態１と同様のため説明を省く。
【００６７】
人物がいる場合、ステップＳ８０６で人物認識部が測距画像２０６のどの画素に人物がいるかを距離情報取得部１０４に送信する。
【００６８】
ステップＳ８０９で、距離情報取得部１０４はその画素における距離情報を人物までの距離として蓄積時間制御部１０２に送信する。蓄積時間制御部１０２が人物までの距離を受信した場合、撮像装置（０ｍ）から人物までの距離を近景領域とする。遠景領域の設定は自動処理と同様とする。
【００６９】
以後のステップは実施形態１と同様のため説明を省く。
【００７０】
本実施形態によれば、自動処理で人物までを近景領域に設定するので、実施形態１に比べより正確に被写体の黒飛びを防ぐことが可能となる。
（第３の実施形態）
夜景を背景にして人物を撮影する場合、通常、フラッシュを点灯させ、人物にフラッシュからの光が照射されるようにする。このような場合、遠景領域の電荷蓄積時間を近景領域の電荷蓄積時間よりも長くすることにより、フラッシュが照射されない背景を明るく撮影することができる。
【図面の簡単な説明】
【００７１】
【図１】本発明の実施形態１の内部構成図である。
【図２】本発明の実施形態による測距用撮像部の構成、測距の概念および測距画像を示した図である。
【図３】本発明の実施形態による撮影用撮像素子の構成を示した図である。
【図４】本発明の実施形態による蓄積時間制御部の構成および領域指定方法を示した図である。
【図５】本発明の実施形態によるＩＳＯ感度設定ＩＦを示した図である。
【図６】本発明の実施形態による露出設定ＩＦを示した図である。
【図７】本発明の実施形態による実施形態１のフローチャートである。
【図８】本発明の実施形態による実施形態２のフローチャートである。
【符号の説明】
【００７２】
１００  撮影光学系
１０１  撮影用撮像素子
１０２  蓄積時間制御部
１０３  測距用撮像部
１０４  距離情報取得部
１０５  画像処理部
１０６  画像メモリ
１０７  制御部
１０８  表示部
１０９  ＩＳＯ感度設定ＩＦ
１１０  露出設定ＩＦ
１１１  記録媒体
【図１】
2010130314.tif 000003
【図２】
2010130314.tif 000004
【図３】
2010130314.tif 000005
【図４】
2010130314.tif 000006
【図５】
2010130314.tif 000007
【図６】
2010130314.tif 000008
【図７】
2010130314.tif 000009
【図８】
2010130314.tif 000010